(57)【特許請求の範囲】
【請求項１】
ベルトコンベア２のリターン側ベルトに洗浄水を吹付けるベルト水洗ノズル３と、該ノズル３への配管中に設けられ、開閉可能で、ベルト水洗ノズル３へ給水或いはその停止を行うバルブ手段１１と、ベルトコンベア２により搬送される粉粒体１６を検出してバルブ手段１１の開閉を制御する検出手段１３よりなり、検出手段１３がベルトコンベア２により搬送される粉粒体を検出すると、バルブ手段１１を開にしてベルトコンベア２の洗浄を行い、ベルトコンベア２により搬送される粉粒体を検出しないときにはバルブ手段１１を閉じてベルトコンベア２の洗浄を停止するベルトコンベアの洗浄装置において、前記バルブ手段が流量制御弁であり、検出手段が粉粒体の重量によって下向きに膨らむベルトコンベアの変位を検出し、その変位量に応じて流量制御弁を制御し、洗浄水の流量を調節することを特徴とするベルトコンベアの洗浄装置。
【請求項２】
流量制御弁が機械式流量制御弁１１であり、検出手段が傾動可能に支持されて一端がベルトコンベアに当てられ、他端が機械的流量制御弁に連結されるレバー１３であることを特徴とする請求項１記載のベルトコンベアの洗浄装置。
【発明の詳細な説明】
【０００１】
【発明が属する技術分野】
本発明は、鉄鉱石、石炭、岩石その他粉粒体（本明細書では、これらを単に「粉粒体」という）を搬送するベルトコンベアのリターン側ベルトに付着する粉粒体を洗浄によって除去する洗浄装置に関する。
【０００２】
【従来技術】
粉粒体を搬送するベルトコンベアのリターン側ベルトには粉粒体が付着したまゝ残って、これがしばしばベルトコンベアの転向や振動によって落下し、コンベア周囲の環境を悪化させたり、周辺設備機器の故障の原因となっていた。この問題に対処する方法としては、図１に示すようにスクレバー式、ブラシ式或いは叩きローラ式等のベルトクリーナ１をベルトコンベア２のリターン側ベルトに押し当てゝ付着する粉粒体を掻き取り、ついでヘッダ−４に設けたベルト水洗ノズル３より洗浄水を吹付けてベルトを洗浄し、付着する粉粒体を除去することが一部で行われ、洗浄水は受皿５に受けられたのち、集水槽（図示しない）に回収され、浄化剤の添加により浄化処理されている。図中、６は水切りロ−ラである。
【０００３】
【発明が解決しようとする課題】
洗浄水によってベルトを洗浄する方式では、ベルトの損傷や損耗が生じにくゝ、粉塵防止対策にもなるが、従来の洗浄装置では洗浄或いはその停止が図１に示すように、ベルト水洗ノズル３への配管中に電磁バルブ８を設け、該バルブ８をベルトコンベアを駆動するモータの起動又は停止に連動して開閉させるか、或いはベルトコンベアに発電機のロータを接触させ、ベルトコンベアの駆動により発電する発電機に連動して開閉させるようになっており、ベルトコンベアを駆動すると、ベルト水洗ノズルより洗浄水が噴射されて洗浄が行われ、ベルトコンベアを停止させると洗浄が停止されるようになっている。
【０００４】
以上のように従来の洗浄装置では、ベルトコンベアが駆動されているときは粉粒体が搬送されていないときでも洗浄が行われるため、洗浄水が無駄に使用され、また洗浄水の浄化処理も無駄に行われていた。
本発明の第１の目的は、粉粒体の搬送量に応じて洗浄水の流量を変えることができ、粉粒体が搬送されていないときは、例えベルトコンベアが駆動されているときでも洗浄を停止し、洗浄水の無駄な使用を省くことができる洗浄装置を提供しようとするものであり、第２目的は、第１の目的を達成する構成の簡単な洗浄装置を提供しようとするものである。
【０００５】
【課題の解決手段】
請求項１記載の発明は、第１の目的を達成する洗浄装置に関するもので、ベルトコンベアのリターン側ベルトに洗浄水を吹付けるベルト水洗ノズルと、該ノズルへの配管中に設けられ、開閉可能で、ベルト水洗ノズルへ給水或いはその停止を行うバルブ手段と、ベルトコンベアにより搬送される粉粒体を検出してバルブ手段の開閉を制御する検出手段よりなり、検出手段がベルトコンベアにより搬送される粉粒体を検出すると、バルブ手段を開にしてベルトコンベアの洗浄を行い、ベルトコンベアにより搬送される粉粒体を検出しないときにはバルブ手段を閉じてベルトコンベアの洗浄を停止するベルトコンベアの洗浄装置において、バルブ手段が流量制御弁であり、検出手段が粉粒体の重量によって下向きに膨らむベルトコンベアの変位を検出し、その変位量に応じて流量制御弁を制御し、洗浄水の流量を調節することを特徴とする。
【０００６】
本発明によると、粉粒体の搬送量が少ないときには洗浄水が少量に、搬送量が多いときには洗浄水も多くなるように、搬送量に応じて洗浄水の流量が調節されると共に、ベルトコンベアにより搬送される粉粒体がないときには、例えベルトコンベアが駆動されていても洗浄が停止され、洗浄水の無駄な使用が避けられ、また使用済み洗浄水の浄化処理も不要にできる。本発明の洗浄装置は単独で用いてもよいし、従来のこの種の洗浄装置と同様、スクレバー式、ブラシ式或いは叩きローラ式等のベルトクリーナと併用してもよい。
【０００７】
本発明で用いるバルブ手段としては、カムやリンク機構等で動作する機械的方法で操作されるバルブ、電磁弁、その他ベルト水洗ノズルへの給水或いはその停止を行う機能を有するバルブであればよく、特に制限はない。検出手段としては、例えばベルトコンベア上に粉粒体があるとき、或いはベルトコンベア端より投下される粉粒体があるとき、それを光学的、機械的或いは電気的に検出して検出信号を出力するか、或いは動作するものであればよく、こうしたものとしては例えば、昇降或いは傾動可能に支持されて常にはバネ或いは重りによって一端がベルトコンベアに下側より当てられ、粉粒体を搬送するときの粉粒体の重量によって下向きに膨らむベルトコンベアの変位によって降下するロッド或いは傾動するレバーよりなるもの、粉粒体を搬送するベルトコンベアが粉粒体の重量で一定量以上下向きに膨らんだとき、その変位を検出するリミットスイッチ、ベルトコンベアの搬送面をＣＣＤカメラ等で撮影し、それを画像処理して粉粒体の有無を検出する光学的検出手段、ベルトコンベア端から投下される粉粒体を光学的、機械的或いは電気的に検出するセンサー等が例示される。
【０００８】
請求項２記載の発明は、第２の目的を達成する洗浄装置に関するもので、請求項１記載の発明において、流量制御弁がボール弁や玉形弁等の機械式流量制御弁であり、検出手段が傾動可能に支持されて一端がベルトコンベアに当てられ、他端が機械的流量制御弁に連結されるレバーであることを特徴とする。本発明によると、電気設備が不要であり、ことに検出手段の構成が簡単となる。
【０００９】
【発明の実施の形態】
図２に示す洗浄装置は、図１に示す配管中に設けた電磁弁の代わりに機械式流量制御弁であるボール弁１１を設けたもので、同図において、図１に示すものと同じ構造のものは同一符号で示してある。ボール弁１１は、図３に示すように軸受１２により軸支された検出手段としてのレバー１３の一端にリンク１４を介して連結され、レバー１３の他端にはベルトコンベア２に下側より当てられるコロ１５を有し、コロ１５がベルトコンベア２の駆動により転動しながら粉粒体１６の搬送によりベルトコンベア２の下向きの膨らみに応じてレバー１３が傾動し、ボール弁１１の弁体を動作して水洗ノズル３からベルトコンベア２に噴射される洗浄水の流量を調節し、更には流れを止めて洗浄を停止することができるようになっている。なお、レバー１３には図示していないが、一端に重りが設けられ、レバー１３を常には図３の反時計方向に付勢し、コロ１５をベルトコンベア２に押し付ける作用を行っている。検出手段としてのレバー１３はまた、水洗ノズル３と共にローラ１７に近付けて設けるのが望ましい。ローラ１７に近付ける程、ベルトコンベア２の未洗浄部分を少なくすることができるためである。
【００１０】
【発明の効果】
請求項１記載の発明によると、搬送量に応じて洗浄水を適量に制御することができ、洗浄水の無駄な使用を省くことができると共に、粉粒体が搬送されないときは、ベルトコンベアが例え駆動されているときでも洗浄が行われないため、洗浄水の無駄な使用が避けられ、洗浄水の浄化処理を省くことができて浄化剤も節減することができ、事後処理に要するコストを低減することができる。
【００１１】
請求項２記載の発明においては、構造の簡単な洗浄装置を用いることにより、上述する請求項１記載の効果を奏することができる。
【図面の簡単な説明】
【図１】従来のベルトコンベア洗浄装置の概略図。
【図２】本発明に係わるベルトコンベア洗浄装置の概略図。
【図３】同側面図。
【符号の説明】
１・・ベルトクリーナ
２・・ベルトコンベア
３・・水洗ノズル
４・・ヘッダ−
５・・受皿
６・・水切りロ−ラ
８・・電磁バルブ
１１・・ボール弁
１２・・軸受
１３・・レバー
１４・・リンク
１５・・コロ
１６・・粉粒体
１７・・ローラ
【図１】
0004302245.tif 000002
【図２】
0004302245.tif 000003
【図３】
0004302245.tif 000004